(57)【要約】【課題】ネットワーク対応装置に関する状態情報を遠隔取得する方法、装置及びコンピュータプログラムプロダクトを提供する。【解決手段】ネットワーク対応標的装置の状態情報と関連する情報フィードが選択され、読取機と連携させられる。情報フィードとして提供されるネットワーク対応標的装置の状態情報が読取機を介して受信される。ネットワーク対応装置の状態情報を提供する方法、装置及びコンピュータプログラムプロダクトをも提供する。【選択図】        図２
2007265405.tif 000002
【特許請求の範囲】
【請求項１】
ネットワーク対応装置と関連する状態情報を遠隔取得する方法であって、
ネットワーク対応標的装置の状態情報と関連する情報フィードを選択し；
情報フィードを読取機と連携させ；
ネットワーク対応標的装置の情報フィードの形で提供される状態情報を読取機を介して受信するステップを含む状態情報を遠隔取得する方法。
【請求項２】
情報フィードがネットワーク対応標的装置と関連する識別子、ネットワーク対応標的装置の位置及び/またはネットワーク対応標的装置の動作状態の要約を含む請求項1に記載の方法。
【請求項３】
動作状態の要約を選択することによってネットワーク対応標的装置と関連するより詳細な状態情報を得るステップをも含む請求項2に記載の方法。
【請求項４】
情報フィードを選択するステップにおいて情報フィードと関連するリンクをコピーするステップを含み、連携させるステップがコピーされたリンクを読取機中へペーストするステップをも含む請求項1に記載の方法。
【請求項５】
ネットワーク対応標的装置が無停電電源装置(UPS)である請求項1に記載の方法。
【請求項６】
読取機がリアリー・シンプル・シンジケーション(RSS)読取機である請求項1に記載の方法。
【請求項７】
情報フィードが拡張可能なマークアップ言語(XML)フォーマットで表されたテキストである請求項1に記載の方法。
【請求項８】
ネットワーク対応装置の状態情報を提供する方法であって、
ネットワーク対応装置と連携するウェブページにネットワーク対応装置の状態情報に関する情報フィードへのリンクを提供するステップを含む状態情報を提供する方法。
【請求項９】
情報フィードを拡張可能なマークアップ言語(XML)フォーマットで提供する請求項8に記載の方法。
【請求項１０】
ネットワーク対応装置の状態変化に関する要約情報でウェブページ上の情報フィードを更新するステップをも含む請求項8に記載の方法。
【請求項１１】
情報フィードがネットワーク対応標的装置と関連する識別子、ネットワーク対応標的装置の位置及びネットワーク対応標的装置の動作状態の要約を含む請求項8に記載の方法。
【請求項１２】
装置が無停電電源装置(UPS)である請求項8に記載の方法。
【請求項１３】
状態情報を提供するように構成されたネットワーク対応装置であって、ネットワーク対応装置の状態情報に関連する情報フィードを提供するように構成された状態情報モジュールを含むネットワーク対応装置。
【請求項１４】
状態情報モジュールがネットワーク対応装置と連携するウェブページ上で情報フィードへのリンクを提供するように構成されている請求項13に記載のネットワーク対応装置。
【請求項１５】
状態情報を拡張可能なマークアップ言語(XML)フォーマットで提供する請求項14に記載のネットワーク対応装置。
【請求項１６】
ユーザーが状態情報に関する情報フィードに加入申込みできるように状態情報モジュールが構成され、加入者に対して定期的に更新状態情報を提供する請求項13に記載のネットワーク対応装置。
【請求項１７】
加入者が読取機と連携し、状態情報モジュールが読取機を介して状態情報を提供するように構成されている請求項16に記載のネットワーク対応装置。
【請求項１８】
装置が無停電電源装置(UPS)である請求項14に記載のネットワーク対応装置。
【請求項１９】
ネットワーク対応装置に関する状態情報を提供するように構成されたコンピュータプログラムプロダクトであって、
コンピュータ可読プログラムコードを有するコンピュータ可読記憶媒体を含み、コンピュータ可読プログラムコードが
ネットワーク対応装置の状態情報に関する情報フィードを提供するように構成されているコンピュータプログラムプロダクト。
【請求項２０】
コンピュータ可読プログラムコードがネットワーク対応装置と連携するウェブページに情報フィードを提供するように構成されている請求項19に記載のコンピュータプログラムプロダクト。
【請求項２１】
コンピュータ可読プログラムコードが拡張可能なマークアップ言語(XML)フォーマットで状態情報を提供するように構成されている請求項19に記載のコンピュータプログラムプロダクト。
【請求項２２】
ユーザーが状態情報に関する情報フィードに加入申込みできるように構成されたコンピュータ可読プログラムコードをも含み、加入者に対して定期的に更新状態情報を提供する請求項19に記載のコンピュータプログラムプロダクト。
【請求項２３】
加入者が読取機と連携し、コンピュータ可読プログラムコードが読取機を介して状態情報を提供するように構成されている請求項22に記載のコンピュータプログラムプロダクト。
【請求項２４】
装置が無停電電源装置(UPS)である請求項19に記載のコンピュータプログラムプロダクト。
【発明の詳細な説明】
【発明の背景】
【０００１】
本発明は広くはネットワーク対応装置、より具体的にはネットワーク対応装置の状態の遠隔モニタリングに係わる。
【０００２】
電子装置及び電子通信方法への依存度が増すに従って、装置を通信ネットワークに接続するように構成されることが多く成りつつある。即ち、多くの装置がネットワーク対応型になりつつある。例えば、無停電電源装置(UPS)のような配電装置の多くは通信ネットワークに接続するように構成されている。USPをネットワークで利用可能にすると、遠隔モニタリングによりUSPの状態を判断することができる。
【０００３】
具体的には、ネットワーク対応装置は典型的には装置に関する状態情報を装置と連携するファイルに記録するように構成されている。状態情報は温度、処理量、電力状態などを含む。ユーザーは例えば適当なウェブブラウザを使用して装置をチェックすることによって記録されている状態情報を得ることができる。装置が簡単なネットワーク運用プロトコル(SNMP)に対応する装置なら、ユーザーは特殊なソフトウェアによってトラップが受信されるのを待つことによって記録されている状態情報を得るか、またはしばしば複雑なネットワーク運用ソフトウェアを使用することによって装置をポーリングし、状態変化をリポートする。また、ネットワーク対応装置は、例えばシステム管理者に対して、装置の現時点の状態または状態変化を含むe-メールを送信するように構成される場合もある。但し、この場合には、然るべきe-メール・サーバー（簡単なメール伝送プロトコル）やアカウント・アクセスが必要である。
【発明の概要】
【０００４】
本発明の幾つかの実施態様はネットワーク対応装置に関する状態情報を遠隔取得するための方法、装置及びコンピュータプログラムプロダクトを提供する。ネットワーク対応標的装置の状態情報に関連する情報フィードが選択され、読取機と連携させられる。ネットワーク対応装置の情報フィードの形で提供される状態情報は読取機を介して受信される。
【０００５】
本発明の他の実施態様では、情報フィードがネットワーク対応標的装置と連携する識別子、ネットワーク対応標的装置の位置及び/またはネットワーク対応標的装置の動作状態要約を含む。ネットワーク対応標的装置に関するさらに詳細な状態情報は動作状態要約を選択することによって得られる。
【０００６】
本発明のさらに他の実施態様では、情報フィードと関連するリンクをコピーすることによって選択される。また、コピーされたリンクを読取機へペーストすることによって情報フィードを読取機と連携させることができる。
【０００７】
本発明の幾つかの実施態様においては、ネットワーク対応装置が無停電電源装置(UPS)である。また、読取機がリアリー・シンプル・シンジケーション(RSS)である場合もある。情報フィードは拡張可能マークアップ言語(XML)フォーマットのテキストを含むこともある。
【０００８】
本発明の他の実施態様はネットワーク対応装置の状態情報を提供するための方法、装置及びコンピュータプログラムプロダクトを提供する。ネットワーク対応装置の状態情報と関連する情報フィードに対するリンクがネットワーク対応装置と連携するウェブページ上に提供される。
【０００９】
本発明のさらに他の実施態様では、XMLフォーマットで情報フィードが提供される。ネットワーク対応装置の状態変化に関する要約情報で情報フィードがウェブページ上で更新される。
【発明の実施態様の詳細な説明】
【００１０】
本発明の詳細を、本発明の実施態様を例示する添付の図面を参照して以下に説明する。但し、本発明は多様な態様で実施することができ、以下に述べる態様に制限されると解釈されるべきではなく、開示内容を詳細に且つ完全にし、当業者に発明の範囲を正しく伝えるのがその目的である。前図面を通して同様の参照番号は同様の素子を示す。明細書中に使用する語「及び/または」は列記されている事項の1つまたは2つ以上のいずれかの組み合わせ及びあらゆる組み合わせを含む。
【００１１】
本明細書中に使用されている用語は特定の実施態様を説明するための用語であり、本発明を制限するものではない。ここに使用されている単数形“a”、“an”及び“the”は特に断らない限り、複数形をも含むものである。また、本明細書において使用されている語“comprises”及び/または“comprising”は記述されている構成要件、整数、ステップ、動作、素子、及び/またはコンポーネントの存在を特定するが、1つまたは2つ以上の他の構成要件、整数、ステップ、動作、素子、コンポーネント、及び/またはその群の存在または追加を除外するものではない。
【００１２】
特に断らない限り、本明細書中に使用されている（技術及び学術用語を含む）すべての用語は本発明が属する分野の当業者が広く理解しているのと同じ意味を有する。さらに、広く使用されている辞書において定義されているような用語は関連技術での意味と一致する意味を有するものと解釈されるべきであり、明細書において特にそのように定義しない限り、観念化された、または過度に形式的な意味に解釈されるべきではない。
【００１３】
当業者には明らかなように、本発明は方法、装置、またはコンピュータプログラムプロダクトとして実施することができる。従って、本発明は純粋にハードウェアの形態またはソフトウェアとハードウェアを組み合わせた形態を呈することができ、ここではこれらの形態を一括して「回路」または「モジュール」と呼称する。また、本発明はコンピュータ可読プログラムコードを含むコンピュータ可読記憶媒体に記憶させたコンピュータプログラムプロダクトの形態を呈することも可能である。ハードディスク、CD-ROMs、光記憶装置、インターネットまたはイントラネットを支援する伝送媒体、または磁気記憶装置など、適当なコンピュータ可読媒体を利用することができる。
【００１４】
本発明の動作を実行するためのコンピュータプログラムコードはオブジェクト指向プログラミング言語、例えば、Java（商標）、SmalltalkまたはC++で書き込むことができる。但し、本発明の動作を実行するためのコンピュータプログラムコードを慣用の手続き型プログラミング言語、例えば、“C”プログラミング言語またはビジュアル指向プログラミング環境、例えば、VisualBasicで書き込むこともできる。
【００１５】
プログラムコードはすべてをユーザーのコンピュータで、一部をネットワークに接続していないスタンドアローン・ソフトウェアパッケージとしてのユーザーのコンピュータで、一部をユーザーのコンピュータで且つ一部をリモート・コンピュータで、またはすべてをリモート・コンピュータで実行する場合がある。後者のシナリオではリモート・コンピュータをローカルエリア・ネットワーク(LAN)または高域ネットワーク(WAN)を介してユーザーのコンピュータに接続するか、または（例えば、インターネット・サービス・プロバイダを利用するインターネットを介して）外部コンピュータに接続すればよい。
【００１６】
本発明の実施態様による方法、装置及びコンピュータプログラムプロダクトのフローチャート及び/またはブロックダイヤグラムを参照して以下に本発明を説明する。ダイヤグラムのそれぞれのブロック、及びブロックの組み合わせはコンピュータプログラムの指令によって実施することができる。これらのコンピュータプログラム指令は汎用コンピュータ、特殊目的コンピュータのプロセッサ、またはその他のマシーン製造用プログラマブル・データ処理装置に対して提供され、コンピュータのプロセッサまたはその他のプログラマブル・データ処理装置を介して実行される指令特定のブロックまたはブロック組み合わせに指定された機能/作用を実行するための手段を作成する。
【００１７】
これらのコンピュータプログラム指令をコンピュータ可読メモリに記憶させ、記憶されたコンピュータ可読メモリがコンピュータまたはその他のプログラマブル・データ処理装置に命令して特定の態様で機能させることにより、コンピュータ可読メモリに記憶されている指令がブロックまたはブロック組み合わせに規定されている機能/作用を実行する指令手段を含む製品を製造するように構成することも可能である。
【００１８】
コンピュータプログラム指令をコンピュータまたはその他のプログラマブル・データ処理装置にロードすることにより、コンピュータまたはその他のプログラマブル・データ処理装置に一連の動作ステップを実行させ、コンピュータによる実施ステップを作成し、コンピュータまたはその他のプログラマブル・データ処理装置で実行される指令がブロックまたはブロック組み合わせに規定されている機能/作用を実行するためのステップを提供する。
【００１９】
ウェブ・ブロッギングやポッドキャスティングの名称で普及している最新の技術によって、ユーザーはウェブ対応装置から情報フィードを受信できる。即ち、拡張可能マークアップ言語(XML)で送信されるテキストが、例えば、Mozillaのようなウェブ・ブラウザのような読取機、またはFeedreaderのようなスタンドアローン・ソフトウェア読取機上に可視的且つ動的に更新される。この技術はしばしばリアリー・シンプル・シンジケーション(RSS)と呼称される。本発明の幾つかの実施態様において、1つまたは2つ以上のネットワーク対応装置の装置状態がこの技術を採用するユーザーの読取機またはウェブ・ブラウザ上に表示される。従って、詳しくは後述するように、ユーザーのウェブ・ブラウザ上に装置状態情報を表示及び要約することで、変化する装置状態をモニターすることができる。
【００２０】
図1乃至図6を参照して本発明の実施態様を以下に説明する。ここに述べる本発明の実施態様は状態情報を取得/提供するための方法、装置及びコンピュータプログラムプロダクトにまたがるものである。例えば、無停電電源装置(UPS)、スイッチなどのようなネットワーク対応装置は関連の状態情報を記録するように構成されている。ここで使用する語「状態情報」はネットワーク対応装置の記録可能な状態、例えば、電圧、電流、温度、処理量などを指す。このような状態情報へのアクセスは困難であり、煩雑でもある。そこで、本発明の幾つかの実施態様では、ネットワーク対応装置の状態情報と関連する情報フィードを提供するように構成された、ネットワーク対応装置と連携する状態情報モジュールを提供する。情報フィードは、例えば、ネットワーク対応装置と連携する識別子、ネットワーク対応装置の位置、及びネットワーク対応装置に関する状態情報の要約などを含む。本発明の幾つかの実施態様においては、ユーザー、例えば、システム管理者が問題の装置に関する情報フィードに加入する。例えば、ユーザーが情報フィードとのリンクを読取機、例えば、リアリー・シンプル・シンジケーション(RSS)読取機へコピーし、読取機を介して状態情報を受信する。実施態様によっては、情報フィードから状態情報の要約を選択することによってこれに関連するより詳細な情報を明らかにすることができる。
【００２１】
即ち、このような実施態様においては、システム管理者が問題の装置に関する情報フィードに加入し、問題の装置に関する状態情報の要約を定期的に受信することになる。システム管理者は要約を選択することによって特定装置の状態に関するより詳細な情報を得ることができる。従って、本発明の幾つかの実施態様は、詳しくは図1乃至図6を参照して後述するように、遠隔の装置を比較的容易にモニターする方法を提供する。
【００２２】
先ず、図1には本発明の実施態様に従って構成されたデータ処理システム130の1例を示す。ネットワーク対応装置、例えば、パソコン、サーバー、電源、UPSなどに組み込まれるデータ処理システム130はユーザー・インターフェース144、例えば、キーボードまたはキーパッド、ディスプレイ、スピーカー及び/またはマイクロホンなどと、プロセッサ138と交信するメモリ136を含む。データ処理システム130はプロセッサ138と交信するI/Oデータポート146をも含む。I/Oデータポート146はデータ処理システム130と他のコンピュータ・システムまたはInternetプロトコル(IP)接続を利用するネットワークとの間の情報伝送に使用することができる。これらのコンポーネントはここに述べるのと同様に動作するよう構成された多くの公知データ処理システムに使用される公知のコンポーネントである。
【００２３】
図2は本発明の実施態様として示した図1のデータ処理システムのより詳細なブロックダイヤグラムである。プロセッサ138はアドレス/データ・バス248を介してメモリ136と交信する。プロセッサ138としては市販の、または特注のマイクロプロセッサ、マイクロコントローラ、ディジタル信号プロセッサなどを使用することができる。メモリ136はデータ処理システム130の機能を実行させるソフトウェア及びデータが搭載されているメモリ記憶装置を含む。メモリ136は例えば次のようなデバイスを含むことができる：キャッシュ、ROM、PROM、EPROM、EEPROM、フラッシュメモリ、SRAM、及びDRAM。
【００２４】
図2に示すように、メモリ136は状態情報モジュール268に使用される数種のソフトウェア及びデータを含む：即ち、オペレーティング・システム252；アプリケーション・プログラム254；入/出力(I/O)デバイス258；及びデータ256。当業者には明らかなように、オペレーティング・システム252としてはデータ処理システムとの併用に好適なものなら如何なるオペレーティング・システムでもよく、例えば、ニューヨーク州アーモンク市に所在のInternational Business Machines Corporationから市販されているOS/2、AIXまたはｚOS、ワシントン州レドモンド市に所在のMicrosoft Corporationから市販されているWindows95、Windows98、Windows2000またはWindowsXP、UnixまたはLinuxなどが挙げられる。典型的なI/Oデバイス・ドライバ258はオペレーティング・システム252を介してアプリケーション・プログラム254によってアクセスされ、I/Oデータポート146やメモリ136のコンポーネントと交信するソフトウェア・ルーチンを含む。アプリケーション・プログラム254はデータ処理システム200の種々の機能を実行するプログラムの1例であり、本発明の幾つかの実施態様における動作を支援する少なくとも1つのアプリケーションを含むことが好ましい。最後に、データ256はアプリケーション・プログラム254、オペレーティング・システム252、I/Oデバイス・ドライバ258、及びメモリ136中に存在する他のソフトウェア・プログラムによって利用される静的及び動的データを表す。
【００２５】
図2に示すように、データ256は状態情報260を含む。上述したように、ネットワーク対応装置は関連の状態情報を記録し、これを状態情報260として記憶する。図2には単一の状態情報260を図解しているが、本発明の実施態様はこれに限定されるものではない。例えば、ネットワーク対応装置に多重の状態情報を記憶させることも可能である。例えば、状態情報が記憶される毎に新しいファイルを作成することができる。
【００２６】
同じく図2に示すように、本発明の幾つかの実施態様では、アプリケーション・プログラム254が状態情報モジュール265を含む。状態情報モジュール265は、記憶されている状態情報260からネットワーク対応装置に関する状態情報を得て、これを情報フィードに提供するように構成することができる。
【００２７】
図2では、状態情報モジュール265がアプリケーション・プログラムである場合について本発明を図解しているが、当業者には明らかなように、状態情報モジュール265をオペレーション・システム252またはデータ処理システム130の論理部に組み込むことも可能である。また、状態情報モジュール265を単一データ処理システムとして図解しているが、当業者には明らかなように、このような機能を1つまたは2つ以上のデータ処理システムに配分することも可能である。従って、本発明が図1及び2に図解するような構成に限定されると解釈されるべきではなく、他の構成及び複数データ処理システムへの機能配分によっても本発明を実施することができる。
【００２８】
図3は本発明の幾つかの実施態様におけるネットワーク環境300の1例を示す。図3に示すように、ネットワーク環境300は端末装置310、ネットワーク320、及び1つまたは2つ以上のネットワーク対応装置340、341及び342、例えば、UPSを含む。端末装置310としては、例えば、ラップトップ・コンピュータ、デスクトップ・コンピュータ、パーソナル・データ・アシスタント(PDA)、ウェブ・キャパブル・モバイル端末またはネットワーク320と交信可能なデバイスが考えられる。図示のように、端末装置310は関連の読取機317を含むウェブ・ブラウザ315を実行するように構成されている。読取機317をブラウザ315と別体とする構成も本発明の範囲内である。端末装置310は例えば電話回線を介するインターネット、ディジタル加入者回線(DSL)、ブロードバンド・ケーブル・リンク、ワイヤレスリンクなどのネットワーク320を介して1つまたは2つ以上のネットワーク対応装置340、341及び342と交信する。
【００２９】
詳しくは後述するように、ネットワーク対応装置340、341及び342はネットワーク320と交信するネットワークカード366，367及び368を含む。本発明の幾つかの実施態様においては、ネットワークカード366、367及び368として本願の譲受人であるEaton Power Quality Corporationの製品であるConnectUPSWeb/SNMP Cardsを使用することができる。ConnectUPSWeb/SNMP Cardsはこれを装置にインストールすることによってシンプル・ネットワーク・マネージメント・プロトコル(SNMP)、ハイパーテキスト・トランスファ・プロトコル(HTTP)、シンプル・メール・トランスファ・プロトコル(SMTP)、ワイヤレス・アプリケーション・プロトコル(WAP)及びTelnetコンパチビリティ・アンド・アドバンスドRS-232通信を提供する。ネットワークカードは装置、例えば、サーバー、ルーター、ハブ、UPS及びその他の重要なインターネットワーキング装置のモニター及び管理を可能にする。ConnectUPSWeb/SNMP Cardsは装置と、例えば、Ethernetローカル・エリア/高域ネットワーク(LAN/WAN)間をリンクすることによって装置を遠隔モニターし、制御することを可能にする。
【００３０】
本発明の幾つかの実施態様による動作を図2及び3を参照して説明する。上述したように、ネットワーク対応装置340、341及び342は図2に関連して上述したデータ処理システム200を含む。即ち、ネットワーク対応装置340、341及び342はこれらネットワーク対応装置340、341及び342の状態に関連する情報フィードを提供するように構成された状態情報モジュール265を含む。例えば、状態情報モジュール265は装置の識別子、装置の位置及び/または装置状態の要約を含む情報フィードを作成するように構成されている。状態情報モジュール265はまた、ネットワーク対応装置340、341及び342と連携するウェブページに情報フィードを提供するようにも構成されている。ウェブページはウェブ・ブラウザ315を介してユーザー、例えば、システム管理者が閲覧する。情報フィードはウェブページ、例えば、RSSまたはXMLボタンに提供される。これらのボタンは見易いようにオレンジ色などに着色される。
【００３１】
情報フィードと連携するボタンを選択するとコード、例えば、XMLコードが情報フィードの背後に現れる。コードは情報フィードとのリンクを含む。リンクを読取機、例えば、RSS読取機にコピーし、ペーストすることができる。リンクが読取機317にコピーされると、ユーザーは読取機317を介してネットワーク対応装置340、341及び342に関する状態情報を得る。換言すると、必要に応じてネットワーク対応装置340、341及び342の状態変化を自動的に記録し、ユーザーの読取機317は更新された状態情報を得てこれを表示する。例えば、ユーザーはネットワーク対応装置340、341及びが状態変化を経験する毎にユーザーは状態情報を含む情報フィードを受信する。本発明の幾つかの実施態様では、状態情報が変化しなかった場合でも定期的に状態情報を提供するようにネットワーク対応装置340、341及び342を構成することができる。
【００３２】
本発明の幾つかの実施態様では、情報フィードの要約情報を、例えば、Mozilla,及び/またはRSS読取機、Feedreaderのようなウェブ・ブラウザのブックマークに可視化することができる。ユーザーのディスプレイにおける可視読取機はディスプレイにおける他の情報と比較して小さいから、要約のテキストは短い。但し、読取機における可視要約情報をクリック・オンまたは選択すればウェブ・ブラウザ315をネットワーク対応装置340、341及び/または342の該当の要約ページに向けることができる。即ち、必要に応じてユーザーは詳細な情報を得ることができる。
【００３３】
上述したように、本発明の実施態様における情報フィードは、例えば、装置の識別子、装置の位置及び装置に関する状態情報を含む。例えば、単相UPSについては、情報フィードは下記の情報を提供する：
UPS:<UPS Model>at<Card IP Address> Current Status:<Overall Status>。
UPSに関連するこの情報を閲覧した後、ユーザーは情報フィードの可視部分(<Overall Status)をクリック・オンして、装置の状態に関するより詳細な情報を得る。尚、本発明の範囲を逸脱することなく、要約が装置の状態に関するより詳細な情報含むことができる。
【００３４】
2相UPSについては、情報フィードは下記の情報を提供する：
UPS：<UPS Model>at<Card IP Address> reports Load % of<%Load 
1>/<%Load2>and Current Status:<Overall Status>。
最後に、三相UPSについては、情報フィードは下記の情報を提供する：
UPS：<UPS Model>at<Card IP Address>reports Load(%) of<%Load
1>/<%Load 2>/<%Load3>and Current Status：<Overall Status>。
単相、二相及び三相UPSについて提供される上記情報はConnectUPSカードによって既に提供可能である。
【００３５】
尚、図1乃至3に関連して上述した例は本発明を制限するためのものではなく、あくまでも説明のための例である。本発明の範囲を逸脱することなく、本発明の実施態様にステップを追加したり、省いたりすることができる。また、ステップを組み合せたり、上記の順序とは異なる順序で行ってもよい。
【００３６】
ネットワーク対応装置に関する状態情報を遠隔から得るオペレーションを図4及び5のフローチャートを参照して以下に説明する。先ず、図4において、オペレーションはネットワーク対応標的装置の状態情報に関する情報フィードを選択するブロック400で始まる。ネットワーク対応標的装置は、例えば、UPSである。情報フィードは、例えば、ネットワーク対応標的装置と連携する識別子及び/またはネットワーク対応標的装置の動作状態要約を含む。例えば、ネットワーク対応標的装置と連携するウェブページに、情報フィードのためのRSSまたはXMLボタンを設ける。情報フィードを読取機(ブロック420)と連携させることができる。例えば、情報フィード用ボタンを選択すると、情報フィードの背後にXMLコードが現れる。フィードとのリンクを読取機、例えば、ウェブ・ブラウザまたは別設の読取機にコピーすることによって、情報フィードをブラウザ/読取機と連携させることができる。ネットワーク対応標的装置の状態情報は読取機（ブロック440)を介してネットワーク対応標的装置の情報フィードとして提供することができる。例えば、情報フィードとのリンクが読取機へコピーされると、ネットワーク対応装置の要約が読取機、例えば、ブックマークス・リストに記録される。装置において状態変化が検知される毎に、更新された状態情報が装置によって記録され、読取機によって表示される。ユーザーが状態に関するより多くの情報が欲しければ、ユーザーが要約部分を選択すれば、状態の詳細が提供される。
【００３７】
図5のフローチャートにおいて、ネットワーク対応装置の状態に関する情報フィードが選択される（ブロック500）。情報フィーと連携するリンクがコピーされ（ブロック510）、読取機（ブロック515）、例えば、ウェブ・ブラウザにペーストされる。装置に関する状態情報が読取機を介して提供される（ブロック540）。例えば、情報フィードの要約情報がユーザーの読取機に表示される。ユーザーがさらに多くの情報を欲しければ、情報フィードの要約情報を選択することによってユーザーはより詳細な情報を得ることができる（ブロック560）。
【００３８】
ネットワーク対応装置の状態情報を提供するオペレーションを図6のフローチャートを参照して以下に説明する。ネットワーク対応装置の状態情報と関連する情報フィードとのリンクがネットワーク対応装置と連携するウェブページに提供される（ブロック605）。情報フィードは連携のRSSまたはXMLボタンを有する。選択すると、ボタンが情報フィードとのリンクを含む情報フィードの背後にコードを出現させる。ユーザーはリンクをコピーし、読取機にペーストすることによって情報フィードへのアクセスを得る。情報フィードはネットワーク対応装置の状態変化に関する要約情報と共にウェブページ上で更新される（ブロック615）。換言すると、装置状態が変化する毎に、装置が状態更新を記録し、情報フィードに「加入した」ユーザー、即ち、リンクを読取機にコピーしたユーザーと連携する読取機が更新した状態情報を得ることができる。
【００３９】
以上に述べた本発明の説明は本発明を制限するものではない。幾つかの実施態様を説明したが、当業者には明らかなように、本発明の新規の教示内容及び利点を著しく逸脱することなく、実施例に種々の変更を加えることができる。従って、これらの変更はすべて、こうきする後記する特許請求項に定義されている範囲内に含まれる。請求項における手段＋機能項目はこれを行う構造として明細書中に述べたすべての構造を包含するものであり、構造的等価物だけでなく等価の構造をも包含する。従って、上述したのは本発明の説明であって本発明が開示したこれらの実施態様に制限されると解釈されるべきではなく、開示した実施態様に対する変更実施態様もその他の実施態様も後記する請求の範囲に含まれると解釈されたい。本発明は後記する請求項によって定義され、請求項の等価物もこれに含まれる。
【図面の簡単な説明】
【００４０】
【図１】本発明の幾つかの実施態様において使用するのに好適なデータ処理システムのブロックダイヤグラムである。
【図２】本発明の他の実施態様によるネットワーク対応装置を含むシステムのブロックダイヤグラムである。
【図３】或るネットワーク環境における本発明のさらに他の実施態様を示すブロックダイヤグラムである。
【図４】本発明の種々の実施態様による装置の動作例を示すフローチャートである。
【図５】本発明の種々の実施態様による装置の動作例を示すフローチャートである。
【図６】本発明の種々の実施態様による装置の動作例を示すフローチャートである。
【図１】
2007265405.tif 000003
【図２】
2007265405.tif 000004
【図３】
2007265405.tif 000005
【図４】
2007265405.tif 000006
【図５】
2007265405.tif 000007
【図６】
2007265405.tif 000008
【外国語明細書】
2007265405.tif 000009
2007265405.tif 000010
2007265405.tif 000011
2007265405.tif 000012
2007265405.tif 000013
2007265405.tif 000014
2007265405.tif 000015
2007265405.tif 000016
2007265405.tif 000017
2007265405.tif 000018
2007265405.tif 000019
2007265405.tif 000020
2007265405.tif 000021
2007265405.tif 000022
2007265405.tif 000023
2007265405.tif 000024
1. ABSTRACT
2007265405.tif 000025
2. Representative Drawing
Fig. 2
2007265405.tif 000026
2007265405.tif 000027
2007265405.tif 000028
2007265405.tif 000029
2007265405.tif 000030